【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
表面の清掃に適し複数の支持車輪を有する車両であって、
フレームと、
略直立軸を中心に回転駆動されるとともに該車両の左右の前方角部に夫々配設された第一及び第二接地ブラシと、
該フレームに担持され、物体との接触に対応して別個独立に移動可能に該第一及び第二ブラシを取付ける第一及び第二関節式機構とを備え、
各関節式アームは、
第一垂直軸を中心に、該ブラシが所望の使用位置にある場合の位置から、該所望の使用位置の内側の第二位置まで回転自在に取付けられた第一アームと、
該第一アームによってその前方位置で旋回自在に支持されるとともに、垂直軸を中心に初期の使用に係る該位置から該第一アームの回転とは逆方向に回転自在に取付けられた第二アームとを有し、
該第一アームが初期の使用に係る該位置から移動する時に、該ブラシが該第一アームの横方向で該第一アームの移動方向と反対方向に移動可能であり、
該ブラシと物体との接触によって該第一及び第二アームの両方が作動すると、該ブラシが該フレームの内側かつ後方に移動可能な車両。
【請求項２】
更に、前記フレームに取付けられるとともに前記第一及び第二関節式アームを支持するリフトリンク機構と、
該フレームに担持されるとともに、該第一及び第二関節式アームを昇降させる該リフトリンク機構を運転者の調節に従って作動させるのに適した第一アクチュエータと
を備える請求項１に記載の車両。
【請求項３】
更に、前記フレームによって前記ブラシの後部に担持され、前記ブラシが内側に収集した物等を前記表面から吸引する開口した正面と底面を有する真空シューと、
一端で前記リフトリンク機構に連結されるとともに、他端では溝部を介して該真空シューに連結されている少なくとも１つのリンクとを備え、
前記アクチュエータが該ブラシを使用位置に降下させると、該真空シューは該表面に対して稼動位置に降下し、しかも、該真空シューは該表面上の物体を乗り越えることが可能な請求項２に記載の装置。
【請求項４】
更に、一端で前記真空シューに連結されるとともに他端で前記フレームに旋回自在に連結され、該真空シューを支持及び案内し、該真空シューをその使用位置において前記表面と平行に案内する支持アームを備える請求項３に記載の装置。
【請求項５】
更に、運転者により制御され、前記真空シューを前記表面の上方の前記上昇位置に上昇させると同時に、前記ブラシをその使用位置に保持可能な第二アクチュエータを備える請求項４に記載の装置。
【請求項６】
更に、前記関節式アームの各々に、該関節式アームを上昇位置に係止すると同時に、前記アクチュエータが前記真空シューを隆起位置に下降させることが可能なラッチを備える請求項３に記載の装置。
【請求項７】
更に、ブロワと、
前記真空シューと該ブロワとの間に連結され、該シューから空気とゴミを吸い上げる第一管路と、
前記フレームに担持されるとともに、該ブロワから該空気とゴミを受け入れる入口を有するホッパと、
該ホッパの該入口に連結され前記ファンから該ゴミと空気を取り入れる開口部を有するとともに、該ゴミを濾し取ってこれを保持する、該ホッパ内の通気性バッグと、
該ホッパに取付けられ、空気が該ホッパを通過することは許容するが微粒子を該ホッパからろ過する微粒子用フィルタと、
循環空気を該ホッパ内から該真空シューへ送る循環管路と
を備える請求項５に記載の装置。
【請求項８】
更に、前記関節式機構の夫々について、
前記第一アームを使用位置まで外側へ付勢する一方、該第一アームが前記車両の中心に対して内側に旋回することを許容する第一バネと、
前記第一及び第二アームの間に連結され前記第二アームを使用位置まで付勢する一方、該第二アームが物体と接触してその使用位置から移動する際に該第一アームの回転方向とは反対方向に回転することを許容する第二バネと
を備える請求項１に記載の装置。
【請求項９】
更に、前記真空シューに旋回自在に取付けられるとともに、前記入口開口部を実質的に閉じるように寸法取り及び配置構成されたフラップと、
運転者によって制御され、該フラップを回転させて該真空シューの該入口開口部の寸法を調節する第三アクチュエータとを備え、
該入口開口部の寸法調節により、該入口開口部を通って該真空シューに流入する空気の速度を調節することが可能な請求項３に記載の装置。
【請求項１０】
更に、前記フラップの下端縁にゴム製縁板が取付けられてなる請求項９に記載の装置。
【請求項１１】
更に、前記第一及び第二関節式アーム機構を前記フレームに選択的に連結するための第一及び第二ラッチを備え、
前記第一アクチュエータが作動して前記リフトリンク機構を降下させると、前記真空シューは降下するが、前記第一及び第二ブラシは上昇位置を維持する請求項２に記載の装置。
【請求項１２】
前記通気性バッグは紡績合成繊維からなり、
前記ホッパは、更に、後方開口部と、該後方開口部を閉じるために蝶着されたドアとを備え、該ホッパ使用位置と投棄位置との間を回転自在に取付けられ、
該装置は、更に、該後方開口部付近に配置され、ワイヤフレームを受けてゴミ袋を該後方開口部の周囲に取り付けるための取付台を備え、
該ドアを開け、該ゴミ袋を該ワイヤフレームで該取付け台に取り付け、該通気性バッグを外し、該ホッパを該投棄位置まで回転させると、該通気性バッグの内容物を直接的に該ゴミ袋に移すことが可能な請求項８に記載の装置。
【請求項１３】
前記バッグは、前記ホッパの底部に載置するのに適した不透水性下部を有するナイロン製スクリムバッグであり、
該ホッパのドアを開け、該ホッパを投棄位置まで傾けると、重力の作用で該バッグの内容物を廃棄することが可能な請求項８に記載の装置。
【請求項１４】
前記車両は外側ケーシングを備え、
前記循環管路は該ケーシング内の凹部を通過する区間を有し、
該凹部は循環空気中のより重いゴミを捕捉するためのプレナムとして働き、
更に、該凹部の底面に着脱自在に連結され、重力の作用でゴミを該凹部内に閉じ込めることが可能なプラグを備える請求項７に記載の装置。
【請求項１５】
前記第一及び第二関節式アーム機構の前記第一アームは使用位置にある場合に前記車両の長手方向に配置され、
前記装置は、更に、
該第一アームを付勢して該車両の中心に対して外側に回転させることを許容する第一バネと、
該第一アームの外側回転を制限する停止部材と
を備える請求項１に記載の装置。
【請求項１６】
前記第一及び第二関節式アーム機構の前記第二アームは前記ブラシを支持し、該ブラシの回転軸は前記第一アームの進行方向外延の外側に配設され、
該ブラシが障害物に接触した時に、該ブラシが該第一アームの横方向外側に動くと同時に、旋回部を中心に該第一及び第二アームの間を後方に移動することを許容する請求項１５に記載の装置。
【請求項１７】
表面からゴミを拾い上げるための車両に於て、
該車両は複数の接地車輪とフレームと運転席とを有し、
入口で吸引力を発生させるとともに、強制空気を送り出すための出口を有するブロワと、
該フレームの下に吊設されるとともに、開口した正面と底面を備えたハウジングを有する真空シューと、
該ブロワ出口から空気を受け入れる入口と、
フィルタを備えた第一排出口と、
該入口から受け入れられるが該第一排出口から排出されない循環空気を送り出すための循環用出口と
を有するホッパと、
該真空シューの出口を該ブロワの該入口と連通する第一連結管路と、
該ブロワの出口は該ホッパの該入口と密閉状態で連結され、
プレナムを形成する中空状の閉鎖通路を有するとともに、該ホッパの循環用出口と連通し、該ホッパから循環空気を受け入れ、該空気を該プレナムを通過させて該プレナムの出口へ送り、循環空気に混入したより大きな粒子を該プレナム内に閉じ込めることが可能な本体ケーシングと、
該プレナムの該出口を該真空シューと連通し該循環空気を該真空シューに案内する第二連結管路と、
前記入口開口部の上方に旋回自在に取付けられたフラップと、
使用者の制御に基づき該フラップの位置を調節して該真空シューの該入口開口部を調節するアクチュエータとを備え、
該真空シューに流入する空気の速度を調節するとともに、該空気を被清掃面付近から該真空シューに流入するよう方向付け、
該フラップが移動して該入口開口部を狭めると、次に流入する空気の速度が増加するとともに、該次に流入する空気は被清掃面に沿って激しく吹き込み、ちりや微粒子を該次に流入する空気に混入させることが可能な
集塵装置。
【請求項１８】
更に、作動レバーを有するオーバーセンタ・ホース・クランプを備え、前記第一管路が該ホース・クランプを介して前記ブロワの前記入口に着脱自在に取り付けられている請求項１７に記載の装置。
【請求項１９】
前記ホッパは前記フレームに蝶着され使用位置から投棄位置まで回転自在であり、
該ホッパの前記入口は前記ブロワの前記出口と着脱自在に封止され、
しかも、該ホッパが該使用位置にある場合は、該ホッパの前記循環用出口は該ホッパの該循環用出口と着脱自在に封止されている請求項１８に記載の装置。
【請求項２０】
前記本体ケーシングは排出開口部を備えた底面を有し、
更に、該本体ケーシングの該排出開口部用の着脱蓋を有する請求項１７に記載の装置。